(57)【要約】【課題】  器具箱の保守点検の際に表板の固定用ビスを取外しても表板が下方にずれることがなく、また、簡単に前方に外れないので、保守点検作業を一人で行うことができると共に、悪戯で固定用ビスを取外されても表板が筐体から簡単に外れない器具箱を提供することを目的とする。【解決手段】  筐体８を覆うと共に、操作釦あるいは操作機器を備え筐体８に備えた取付座に固定ネジ１７により固定される表板６を具備するエレベータ用器具箱であって、固定ネジ１７を外した際に表板６が下方に動かない様に表板６を支える支え板１３と、固定ネジ１７を外した際に表板６が手前に外れない様に表板６を係止する係止手段１９と、を備えている。【選択図】図３
2014210651.tif 000002
【特許請求の範囲】
【請求項１】
筐体を覆うと共に、前記筐体に配設された取付座に締結部材により固定される表板を具備するエレベータ用器具箱であって、
前記締結部材を外した際に前記表板が下方に動かない様に前記表板を支える支え板と、
前記締結部材を外した際に前記表板が前方に外れない様に前記表板を係止する係止手段と、
を備えたことを特徴とするエレベータ用器具箱。
【請求項２】
前記支え板は、一片が前記表板の裏面に固定され、他片が前記筐体下部の内側に当接して表板を下方に動かない様に支える
ことを特徴とする請求項１に記載のエレベータ用器具箱。
【請求項３】
前記係止手段は、
前記表板裏面あるいは前記筐体内部に設けた前記表板外れ防止のための被係止部を有する外れ止め板と、
前記筐体内部あるいは前記表板裏面に設けた前記外れ止め板を係止するラッチと、
を有することを特徴とする請求項１乃至２に記載のエレベータ用器具箱。
【請求項４】
前記ラッチは、
前記外れ止め板の被係止部を係止するフック部と、
押圧すると前記フック部が引き込まれると共に、前記表板に備えた前記締結部材用の穴から挿入した係止解除部材が前記ラッチに備えた押釦を押圧することで解除される押釦と、
を有したことを特徴とする請求項３に記載のエレベータ用器具箱。
【請求項５】
前記取付座は、前記ラッチを配設し、前記締結部材が締結される螺合部が前記ラッチの押釦に相対している
ことを特徴とする請求項４に記載のエレベータ用器具箱。
【発明の詳細な説明】
【技術分野】
【０００１】
この発明は、エレベータの階床を示す表示器や行先階を選択する操作機器を収納するエレベータの器具箱に関する。
【背景技術】
【０００２】
エレベータの乗り場あるいはかご内には階床を示す表示器や行先階を選択する操作機器を備えた器具箱が配置されている。この器具箱はボタン部分や表示部分を表板に配設したものを、乗場の壁やかご内に埋設されている筐体に固定用ねじで締結されている。 (例えば特許文献１)。
【先行技術文献】
【特許文献】
【０００３】
【特許文献１】特開昭５８−１７０７５号公報  (第２図)
【発明の概要】
【発明が解決しようとする課題】
【０００４】
ところで、上記器具箱の保守点検の際は固定用ねじを取外して表板を筐体から取外して行うが、表板は固定用ねじを取外す時に支えていないと下方に動くので取外し作業を行い難い。このため表板を支える者が必要となるため必ず二人作業となり保守点検の効率が悪かった。また、悪戯で固定用ねじを取外し表板が筐体から外されてしまうことがあり、この対策が必要であった。
【０００５】
この発明は上記課題を解決するためになされたもので、表板は、固定用ねじを取外しただけでは下方にずれることがなく、また、簡単に前方に外れることも無く、保守点検作業を一人で行うことができる器具箱を提供することを目的とする。
【課題を解決するための手段】
【０００６】
この発明に係るエレベータの器具箱は、各種機器を備えた筐体を覆うと共に、前記筐体に配設された取付座に締結部材により固定される表板を具備するエレベータ用器具箱であって、前記締結部材を外した際に前記表板が下方に動かない様に前記表板を支える支え板と、前記締結部材を外した際に前記表板が前方に外れない様に前記表板を係止する係止手段と、を備えている。
【発明の効果】
【０００７】
この発明によれば、表板の固定用ねじを取外しても表板が下方に動くことがなくまた、簡単に前方に外れないので、表板を支えながら作業する必要がなく保守点検作業を一人で行うことができる。また、表板は固定用ねじを取外しただけでは外れないので、悪戯で固定用ねじを取外して筐体から外されてしまうことがない。
【図面の簡単な説明】
【０００８】
【図１】この発明の実施の形態１を示すエレベータ用器具箱を配した乗場の図である。
【図２】図１の乗場ボタンの正面図である。
【図３】図２のＩＩＩ−ＩＩＩ線に沿った断面図である。
【図４】図２を裏面から見た斜視図である。
【図５】図３の斜視図である。
【発明を実施するための形態】
【０００９】
以下、この発明の詳細について、添付の図面を参照して説明する。
【００１０】
実施の形態１
図１〜図５は、この発明の実施の形態１を説明する図である。
図１に示すように、エレベータ乗場の出入口１には三方枠２が設けられており戸３を備えている。戸３はモーターを備えたドア装置（図示せず）により開閉され、この戸３の場合は出入口１の中央から左右に開閉される。そして、行先を選択する器具箱５が乗場の壁４に設けられている。
【００１１】
図２から図５に示すように、器具箱５は、行先ボタン７を装着した表板６が筐体８に固定されている。そして、筐体８が乗場の壁４に設けた穴に配設されている。
【００１２】
表板６は行先ボタン７を装着するための取付穴６ｂが設けられており、行先ボタン７は嵌合して固定されている。
【００１３】
取付座であるラッチ取付け板１１が筐体８上部の内部に設けられている。ラッチ取付け板１１は断面がコ字状の板材であり、一片１１ａと他片１１ｃと固定片１１ｂとを有している。そして、固定片１１ｂに有する取付穴が筐体８に立設されたねじ棒１５に挿通してナット１６がねじ込まれ筐体８に固定されている。また、一片１１ａに有するねじ部１１ｄに、表板６の取付穴６ａを挿通した締結部材である固定ねじ１７がねじ込まれ、表板６の上部が筐体８に締結されている。さらに、他片１１ｃに有する取付穴に固定ねじ１８が挿通され、ラッチ１０の取付部に螺合してラッチ１０が固定されている。
【００１４】
外れ止め板９が表板６の裏面に配設されている。外れ止め板９は断面がＬ字状の板材であり、一片９ａと他片９ｂとを有している。そして、一片９ａに有する取付穴が表板６に立設されたねじ棒１５に挿通してナット１６がねじ込まれ表板６に固定される。また、他片９ｂに表板６外れ防止のための被係止部である穴９ｄにラッチ１０のフック部１０ａが係止されている。これにより、表板は固定ねじ１７を外した際に手前に外れないように係止されている。
【００１５】
ラッチ１０は、押釦１０ｂを矢印Ａ方向に押圧するとフック部１０ａが矢印Ｂ方向（本体方向）に引き込まれる構成となっている。そして、フック部１０ａが引き込まれ、他片９ｂよりも上方になり穴９ｄから外れるとフック部１０ａの穴９ｄへの係止が解除される。また、ラッチ取付け板１１のねじ１１ｄがラッチ１０の押釦１０ｂに相対して配設されている。なお、外れ止め板９とラッチ１０とで係止手段１９となる。
【００１６】
取付座１２が筐体８下部の内部に設けられている。取付座１２は断面がＬ字状の板材であり、一片１２ａと他片１２ｂとを有している。そして、一片１２ｂに有する取付穴が筐体８に立設されたねじ棒１５に挿通してナット１６がねじ込まれ筐体８に固定されている。また、一片１２ａに有するねじ部１２ｄに、表板６の取付穴６ａを挿通した固定ねじ１７がねじ込まれ、表板６の下部が筐体８に締結されている。
【００１７】
支え板１３が表板６下部の裏側に設けられている。支え板１３は断面がＬ字状の板材であり、一片１３ａと他片１３ｂとを有している。そして、一片１３ａに有する取付穴が表板６に立設されたねじ棒１５に挿通してナット１６がねじ込まれ表板６に固定されている。他片１３ｂは筐体８の内部に当接しており、固定ねじ１７を外した際に表板６が下方に動かない様に表板６を支える。また、支え板１３は取付座１２との干渉を避けるための凹部１３ｃを有している。
【００１８】
次に、表板６を筐体８から取り外す手順について図３を参照して説明する。
最初に表板６を固定している固定ねじ１７を取り外す。この段階では支え板１３が筐体８の下部内部に当接しているので、表板６は下方へ移動しない。また、外れ止め板９の穴９ｄにラッチ１０のフック部１０ａが係止されているので、表板６は前方に外れない。
次に、表板６の取付穴６ａとラッチ取付け板１１のねじ部１１ｄとに係止解除部材である取外し工具２０を挿通させ、ラッチ１０の押釦１０ｂを押圧する。これにより、フック部１０ａが矢印Ｂ方向に引き込まれる。そして、フック部１０ａは他片９ｂよりも上方になり、穴９ｄから外れると外れ止め板９の係止が解除される。なお、取外し工具２０は外形が取付穴６ａとねじ部１１ｄとの内径より小さい棒材である。そしてさらに、取外し工具２０を押釦１０ｂに押圧した状態で表板６を手前に引くと取り外すことができる。
【００１９】
上記実施の形態１により、以下の効果を得ることができる。
表板６を固定している固定ねじ１７を外した際に表板６が下方に動かない様に表板６を支える支え板１３と、表板６が手前に外れない様に表板６を係止するラッチ１０と、を備えているので、表板６は固定ねじ１７を外した際に下方に動くことがなく、また、簡単に前方に外れない。これにより、表板６を支えながら作業する必要がなく表板６の取外し作業を一人で行うことができる。また、固定ねじ１７を外しただけでは前方に外れないので、悪戯により固定ねじ１７を外された場合でも簡単に表板６を外すことができない。
【００２０】
支え板１３は、一片１３ａが表板６の裏面に固定され、他片１３ｂが筐体８下部の内側に当接して表板６を下方に動かない様に支えているので、簡易な方法で表板６を下方に動かないようにすることができる。
【００２１】
係止手段１９は、表板６裏面に設けた表板６外れ防止のための穴９ｄを有する外れ止め板９と、筐体８内部あるいは表板６裏面に設けた外れ止め板９を係止するラッチ１０と、を備えているので、少ない構成で係止手段を得ることができる。
【００２２】
ラッチ１０は、外れ止め板９の穴９ｄを係止するフック部１０ａと、押圧するとフック部１０ａが引き込まれると共に、表板６に備えた取付穴６ａから挿入した取外し工具２０がラッチ１０に備えた押釦１０ｂを押圧することで解除される押釦１０ｂと、を有しているので、簡単な取外し工具２０でラッチ１０を解除することができる。
【００２３】
ラッチ取付け板１１は、ラッチ１０を配設し、固定ねじ１７が締結されるねじ１１ｄがラッチ１０の押釦１０ｂに相対しているので、ラッチ１０の解除が行い易い。
【符号の説明】
【００２４】
９  外れ止め板、  ９ｄ  穴、  １０  ラッチ、  １０ａ  フック部、  １０ｂ  押釦、１１  ラッチ取付け板、  １２  取付座、  １３  支え板、  １５  ねじ棒、  １７  固定ねじ（締結部材）、  １８  固定ねじ、  １９  係止手段、  ２０  取外し工具（係止解除部材）。
【図１】
2014210651.tif 000003
【図２】
2014210651.tif 000004
【図３】
2014210651.tif 000005
【図４】
2014210651.tif 000006
【図５】
2014210651.tif 000007